(57)【要約】  【課題】  ＣＣＤ等の光学センサを取り付ける取付部材に対して付勢を行なうばね部材の数を極力少なくすることが可能であり，また，前記取付部材の付勢に板ばねを用いる必要のない画像読取装置を提供することにある。  【解決手段】  ＣＣＤ８が取り付けられたＣＣＤ取付部材１１ａを，光の走査軸方向に所定間隔隔てた２箇所において，基準部材１２ａに対して面接触する方向（第１方向）と，ネジ部材１４の頭部を付勢する方向（第２方向）との中間方向に向けて，中間方向付勢ばね１８を用いて付勢する。【選択図】図４
2006157460.tif 000002
【特許請求の範囲】
【請求項１】
所定の走査方向に走査される光をその走査範囲で受光する画像読み取り用の光学センサが取り付けられたセンサ取付部材を，所定の基準部材に対して面接触させつつ所定の一の調節軸に沿った一方向及び該一方向とは反対の他方向に摺動させることにより，前記光学センサを前記一の調節軸に沿って位置調節する機構を備えた画像読取装置であって，
前記センサ取付部材を，前記走査方向に所定間隔隔てた２箇所において前記基準部材の接触面に向かう第１方向と前記一の調節軸に沿った前記一方向又は前記他方向に向かう第２方向との中間方向に付勢する中間方向付勢手段と，
前記センサ取付部材の前記第２方向の前記一方向又は前記他方向への変位を規制する規制部が前記一の調節軸上で位置決め自在に構成された規制部位置決め手段と，
を具備してなることを特徴とする画像読取装置。
【請求項２】
前記センサ取付部材を，前記走査方向における前記中間方向付勢手段により付勢される前記２箇所の付勢箇所間の１箇所において前記第１方向へ付勢する第１方向付勢手段を具備してなる請求項１に記載の画像読取装置。
【請求項３】
前記中間方向付勢手段及び／又は前記第１方向付勢手段が，コイルばねにより前記センサ取付部材を付勢するものである請求項１又は２のいずれかに記載の画像読取装置。
【請求項４】
前記センサ取付部材及び前記基準部材の各接触面の一方に設けられた突起部と，他方に設けられた前記一の調節軸に沿って長手に形成される長穴とが嵌合して前記センサ取付部材の前記基準部材に対する摺動方向が規制されてなる請求項１〜３のいずれかに記載の画像読取装置。
【発明の詳細な説明】
【技術分野】
【０００１】
本発明は，スキャナ等の画像読み取り装置に関するものであり，特に読み取り光を受光する光学センサの位置を調節する機構を有する画像読取装置に関するものである。
【背景技術】
【０００２】
スキャナ，複写機におけるスキャナ部等の画像読取装置では，画像読み取り元の原稿等に光を照射し，その原稿からの反射光を光学センサ（ＣＣＤ等）を用いて受光することにより，原稿の画像情報を読み取る方法が採用されている。通常，前記反射光は，該反射光の光路上に設けられた結像レンズ等（いわゆる，縮小光学系）を用いて前記光学センサ上に結像される。従って，前記結像レンズに対する前記光学センサの位置精度は，画像情報読み取りの精度と等価であり，重要な要素である。そこで，例えば特許文献１等に示されるように，前記画像形成装置には前記光学センサの光軸方向，及び該光軸方向と直交する方向における位置の調節機構が設けられている。
【０００３】
図１は特許文献１等の従来例におけるスキャナの概略構成図である。図１に示される，従来例におけるスキャナＢは，ＡＤＦ部α１，画像読取光学部α２等により概略構成される。
前記ＡＤＦ部α１は，原稿セット部１，搬送ローラ２，原稿載置台３，原稿排出部４等からなるものである。前記スキャナＢに接続されたパーソナルコンピュータ等により，所定の画像読み取り要求が入力されると，原稿セット部１にセットされた原稿Ｓが，複数の搬送ローラ２を介して１枚ずつ順次搬送される。前記搬送ローラ２によって搬送された原稿Ｓは，例えばプラテンガラス等からなる前記原稿読取台３上の所定の読取位置を通って副走査方向に搬送され，その後，前記原稿排出部４へ排出される。
【０００４】
一方，画像読取光学部α２は，前記露光装置５，導光ミラー６ａ〜６ｃ，結像レンズ７，ＣＣＤ８，画像処理制御部９等から構成される。前記露光装置５により，前記原稿読取台３の所定の読取位置を副走査方向に移動する原稿Ｓに光が照射される。この光は，前記副走査方向とは直交する走査方向に前記原稿上を走査される。上記原稿Ｓからの反射光は前記導光ミラー６ａ，６ｂ，６ｃにより導光され，前記結像レンズ７により集光される。また，前記ＣＣＤ８（光学センサ）により，反射光に含まれる画像情報は電気信号（以下，画像情報信号という）に変換され，前記画像処理制御部９に入力される。前記画像処理制御部９において，前記画像情報信号に対する所定の処理（画質の改善処理等）が施された後に，前記画像情報信号は前記スキャナＢに接続されたパーソナルコンピュータ等に対して出力される。
【０００５】
前記ＣＣＤ８は，前記原稿Ｓからの反射光の光軸（以下，ｘ軸で表す）と前記走査方向に沿った軸（以下，走査軸といい，ｙ軸で表す）とに直交する軸（以下，調節軸といい，ｚ軸で表す）に沿って，その位置が調節可能に構成されている。
図２は前記ＣＣＤ８の位置調節の機構を表す側面図，図３は前記ＣＣＤ８の位置調節の機構を表す鉛直方向からの正面図である。以下，図２及び図３を用いて，従来例における前記ＣＣＤ８の位置調節機構，及び位置調節の方法について説明する。
図２に示されるように，前記ＣＣＤ８はその後部がＣＣＤ基盤１０に取り付けられ，また，その受光面の支持部（不図示）がＣＣＤ取付部材１１ｂに形成されているＣＣＤ嵌合枠（不図示）に嵌合されることにより，前記ＣＣＤ取付部材１１ｂに取り付けられている。前記ＣＣＤ取付部材１１ｂは，前記ｚ軸方向の位置が予め定められている基準部材１２ｂに対して，前記光軸に直交する平面（ｙｚ平面）に沿って面接触されている。また，前記ＣＣＤ取付部材１１ｂは板ばね１３により，前記光軸（ｘ軸）に沿って前記基準部材１２ｂに向かう方向に付勢され，これにより前記基準部材１２ｂとの面接触が保持される。尚，図３に示されるように，前記板ばね１３による前記ＣＣＤ取付部材１１ｂの付勢は，前記走査軸（ｙ軸）方向における両端部においてなされる。
【０００６】
ところで，前記ＣＣＤ取付部材１１ｂの上面部には前記走査軸（ｙ軸）方向における両端部各々の付近にそれぞれ貫通孔（不図示）が設けられている。また，前記基準部材１２ｂの上面部にも，前記貫通孔各々に対向する位置にネジ穴が形成されている。前記貫通孔各々を貫通しつつ，前記ネジ穴各々にはネジ部材１４が螺着される。
一方，図２に示されるように，前記ＣＣＤ取付部材１１ｂの前記基準部材１２ｂとの接触面側にはカギ部材１５が形成されている。一方，図３に示されるように，前記基準部材１２ｂにはばね引っ掛け孔１６が形成されている。前記カギ部材１５と前記バネ引っ掛け孔１６との間にはコイルばね１７が張着されている。つまり，前記カギ部材１５により形成されるカギ部１５ｂと前記バネ引っ掛け孔１６とに前記コイルばね１７の両端が引っ掛けられ，該コイルばね１７の復元力により，前記ＣＣＤ取付部材１１ｂは前記調節軸（ｚ軸）に沿って，前記ネジ部材の頭部に向けて付勢される。
尚，図３に示されるように，前記コイルばね１７による前記ＣＣＤ取付部材１１ｂの付勢も，前記走査軸（ｙ軸）方向における両端部においてなされる。
【０００７】
以上の構成により，前記ネジ部材１４各々の締め付け度合いを調節することにより，前記ＣＣＤ取付部材１１ｂは前記基準部材１２ｂと面接触しつつ，該基準部材１２ｂを基準として前記調節軸（ｚ軸）に沿った一方向及び該一方向とは反対の他方向（つまり，鉛直上下両方向）に摺動される。これにより，前記ＣＣＤ８の前記調節軸（ｚ軸）に沿っての位置調節が可能となる。
【特許文献１】特開平１１−１７９０７号公報
【発明の開示】
【発明が解決しようとする課題】
【０００８】
しかしながら，上述の構成によると，コイルばね１７と板ばね１３とが，原稿からの反射光の走査方向における両端においてそれぞれ必要となる。従って，ＣＣＤ等の光センサが取り付けられる取付部材の付勢に，合計４つものばね部材を要するものとなり，装置全体のコストダウンを妨げる原因となる。また，前記取付部材の前記反射光の光軸方向への付勢に板ばねを用いると，板ばねは径時的な塑性変形が生じ易く，長期に渡って付勢力を保持するのが不可能であるため，頻繁に取り替える必要があり，更に装置のコストを上昇させる原因となる。
従って，本発明は上記事情に鑑みてなされたものであり，その目的とするところは，ＣＣＤ等の光学センサを取り付ける取付部材に対して付勢を行なうばね部材の数を極力少なくすることが可能であり，また，前記取付部材の付勢に板ばねを用いる必要のない画像読取装置を提供することにある。
【課題を解決するための手段】
【０００９】
上記目的を達成するために本発明は，所定の走査方向に走査される光をその捜査範囲で受講する画像読み取り用の光学センサが取り付けられたセンサ取付部材を，所定の基準部材に対して面接触させつつ所定の一の調節軸に沿った一方向及び該一方向とは反対の他方向に摺動させることにより，前記光学センサを前記一の調節軸に沿って位置調節する機構を備えた画像読取装置であって，前記センサ取付部材を，前記走査方向に所定間隔隔てた２箇所において前記基準部材に対する接触面に向かう方向と前記一方向又は前記他方向との中間方向に付勢し，また，前記センサ取付部材の前記一方向又は他方向への変位を規制する規制する規制部の位置を前記一の調節軸上で調節することにより，前記光学センサを位置調節する画像読取装置として構成される。
これにより，前記センサ取付部材を前記規準部材に対する接触面に向かう方向に付勢する部材と，前記一方向又は他方向に付勢する部材とを共用にすることが可能であり，用いるばね部材の個数を最小で２つにまで削減することができる。
【００１０】
ここで，前記センサ取付部材を，前記走査方向における２箇所の付勢箇所間の一箇所において，前記基準部材に対する接触面に向かう方向に付勢することが考えられる。
これにより，前記中間方向へ付勢する力の前記接触面に向かう方向への成分が小さくなる場合（例えば，コイルばね斜め掛けする例において，該コイルばねを前記接触面に向かう方向とのなす角度を小さくとる場合）であっても，前記接触面に向かう方向へ前記センサ取付部材を十分な力で付勢することが可能であり，前記光学センサの位置調節の機構を安定化させることが可能である。また，このような構成によっても，従来例において４つ用いられていたばね部材の数を，合計３つにまで削減することが可能である。
また，前記中間方向への付勢，又は前記接触面に向かう方向への付勢，或いはその両方をコイルばねを用いて行なうことが考えられる。これにより，前記センサ取付部材を，板ばねを用いることなく付勢することが可能であり，長期に渡ってその付勢力を保持することが可能である。
更に，前記センサ取付部材及び前記基準部材の各接触面の一方に設けられた突起部と，他方に設けられた，前記一の調節軸に沿って長手に形成される長穴とが嵌合して，前記センサ取付部材の前記規準部材に対する摺動方向が規制されてなる場合も考えられる。
このように前記センサ取付部材の摺動方向をガイドすることにより，前記センサ取付部材の前記光軸方向への位置ズレが生じた場合等でも，スムーズな摺動を保持することが可能である。
【発明の効果】
【００１１】
本発明によれば，光学センサが取り付けられる取付部材を付勢するばね部材の数を最小で２つにまで削減することが可能である。また，前記取付部材の基準部材との接触面方向への付勢に板ばねを用いる必要がない。
【発明を実施するための最良の形態】
【００１２】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係るスキャナの概略構成図，図２は従来例におけるスキャナが有するＣＣＤの位置調節機構の側面図，図３は従来例におけるスキャナが有するＣＣＤの位置調節機構の鉛直上方向からの正面図，図４は本発明の実施の形態に係るスキャナが有するＣＣＤの位置調節機構の側面図，図５は本発明の実施の形態にかかるスキャナが有するＣＣＤの位置調節機構の鉛直方向からの側面図，図６は本発明の実施の形態に係るスキャナが有するＣＣＤの位置調節機構の前記ＣＣＤの基盤方向からの正面図，図７は本発明の実施例に係るスキャナが有する中間方向付勢ばねによる付勢方向の例を示すシンボル図である。
【００１３】
図１は本発明の実施の形態に係るスキャナの概略構成図である。図１に示される本発明の実施の形態に係るスキャナＡ（画像読取装置の一例）は，原稿Ｓからの反射光を読み取るＣＣＤ８の位置調節機構において従来例とは異なるものであり，該位置調節機構以外の構成については，既に説明した従来例におけるスキャナＢと同様であるので，その説明を省略する。
図４は，本発明の実施の形態に係るスキャナＡが有するＣＣＤ８の位置調節機構の側面図である。また，図５は該位置調節機構の鉛直上方向からの正面図である。以下，図４及び図５を参照しつつ，当該スキャナＡにおける前記ＣＣＤ８の位置調節機構の特徴点について詳述する。尚，以下の説明に用いられる各軸（光軸，調節軸，走査軸）の定義は従来例での説明と同様であり，図４，図５に示されるｘ軸，ｙ軸，ｚ軸との対応関係も同様，つまり，光軸＝ｘ軸，走査軸＝ｙ軸，調節軸＝ｚ軸である。
【００１４】
（１）  本実施形態における，ＣＣＤ取付部材の基準部材に対する付勢について
図４に示すように，前記ＣＣＤ８は，前記反射光をその走査範囲で受光する画像読み取り用の光学センサであり，ＣＣＤ取付部材１１ａに取り付けられている。前記ＣＣＤ取付部材１１ａは，基準部材１２ａに対して前記光軸に直交する平面（ｙｚ平面）に沿って面接触されている。また，後述のように，コイルばねからなる中間方向付勢ばね１８により，前記ＣＣＤ取付部材１１ａは前記基準部材１２ａと面接触する方向（以下，第１方向という）に力の成分を持つように付勢されており，これにより前記基準部材１２ａとの面接触が保持される。
また，前記ＣＣＤ取付部材１１ａの上面部には前記走査軸（ｙ軸）方向における両端部各々の付近にそれぞれ貫通孔（不図示）が設けられている。また，前記基準部材１１ａの上面部には，前記貫通孔各々に対向する位置にそれぞれネジ穴（不図示）が形成されている。前記貫通孔各々を通じて，前記ネジ穴各々にはネジ部材１４が螺着される。
【００１５】
更に前記ＣＣＤ取付部材１１ａの側面部，及び前記基準部材１２ａの上面部には，それぞれ取付部材ばね掛け部１９，基準部材ばね掛け部２０が形成されている。また，前記取付部材ばね掛け部１９，前記基準部材ばね掛け部２０各々が中間方向付勢ばね１８の両端に設けられたフックと係合され，これにより前記中間方向付勢ばね１８が，前記ＣＣＤ取付部材１１ａと前記基準部材１２ａとの間に斜め掛けされる。このとき，前記中間方向付勢ばね１８は弾性変形され，その復元力により前記ＣＣＤ取付部材１１ａは，前記基準部材１２ａとの接触面に向かう方向（前記第１方向），及び前記調節軸（ｚ軸）に沿った方向のうちの鉛直上向き方向（以下，第２方向という）の中間方向に付勢，つまり前記ネジ部材１４の頭部，及び前記接触面において前記基準部材１２ａを同時に付勢する向きに付勢される。尚，前記ネジ部材１４が規制部位置決め手段の一例であり，前記調節軸（ｚ軸）上で，前記ネジ部材１４の締め付け具合により位置決め可能な前記頭部が規制部の一例である。
【００１６】
ところで，図４のように，前記前記中間方向付勢ばね１８の付勢力の方向と前記光軸（ｘ軸）とのなす角度θが大きいと（具体的には，θ＞４５°であると），前記中間方向付勢ばね１８，前記センサ取付部材１１ａを前記基準部材１２ａと面接触する方向に付勢する力は弱いものとなる。従って，前記センサ取付部材１１ａを前記基準部材１２ａと面接触する方向への付勢力を補助するべく，前記センサ取付部材１１ａはコイルばねからなる第１方向付勢ばね２１により，上述の第１方向に向けて付勢される。即ち，前記ＣＣＤ取付部材１１ａに設けられた取付部材中央引っ掛け部２２，及び前記基準部材１２ａに設けられた基準部材中央引っ掛け部２３が，前記第一方向付勢ばね２１の両端に形成されたフックと係合され，これにより，前記第一方向付勢ばね２１が前記ＣＣＤ取付部材１１ａと前記基準部材１２ａとの間に水平方向に取り付けられる。
ここで，図５に示されるように，前記取付部材中央引っ掛け部２２及び前記基準部材中央引っ掛け部２３は，前記走査軸の方向において，前記中間方向付勢ばね１８における２箇所の付勢箇所間の中央部付近に形成されており，従って前記ＣＣＤ取付部材１１ａは，該中央部付近において上述の第一の方向に付勢される。
一方，θ＜４５°である場合には，前記ＣＣＤ取付部材１１ａの前記ネジ部材１４の頭部に向かう方向（つまり，前記第２方向）への付勢を補助するように，前記調節軸（ｚ軸）に沿った方向でコイルばねを前記ＣＣＤ取付部材１１ａ及び前記基準部材１２ａに係合させるのが望ましい。
【００１７】
（２）  本実施形態におけＣＣＤの位置調節の具体的方法について
以上の構成により，前記ＣＣＤ取付部材１１ａは前記基準部材１２ａに対して前記第一方向に付勢され，前記ネジ部材各々の締め付け度合いを調節することにより，前記ＣＣＤ取付部材１１ａは前記基準部材１２ａと面接触しつつ，該基準部材１１ａを基準として前記調節軸（ｚ軸）に沿った一方向及び該一方向とは反対の他方向（つまり，鉛直上下両方向）に摺動され，これにより，前記ＣＣＤ８（光学センサの一例）の前記調節軸（ｚ軸）に沿っての位置調節が可能となる。
ところで，前記基準部材１２ａは，前記結像レンズ７が取り付けられているレンズ取付板２４と，基準部材位置決めネジ２５を介して係合されている。詳しくは，前記基準部材１２ａの下部には前記光軸に沿って長手に形成される第一方向長穴２６が形成されており，前記基準部材位置決めネジ２５が該第一方向長穴２６貫通しつつ，前記レンズ取付板２４に形成された不図示のネジ穴に螺着されることにより，前記基準部材１２ａと前記レンズ取付板２４とは係合される。前記基準部材位置決めネジ２５の締め付けが緩められた場合，前記基準部材１２ａは前記レンズ取付板２４に対して，前記第一方向長穴に沿って前記光軸（ｘ軸）方向に摺動可能となる。前記基準部材１２ａを前記光軸（ｘ軸）方向に摺動させることにより，前記基準部材１２ａに付勢されている前記ＣＣＤ取付部材１１ｂの前記光軸（ｘ軸）方向の位置が調節され，これにより前記ＣＣＤ８の前記結像レンズ７に対する前記光軸（ｘ軸）方向の位置が調節される。
【００１８】
（３）  本実施形態における，前記ＣＣＤ取付部材１１ａの摺動方向を規制するガイドについて
本実施形態では，従来例において用いられていた板ばね１３に代わり，コイルばねである前記中間方向付勢ばね１８，及び前記第１方向付勢ばね２１により，前記ＣＣＤ取付部材１１ａが前記基準部材１２ａに対して前記光軸（ｘ軸）に沿って前記第１方向に付勢される。従って，前記ＣＣＤ取付部材１１ａは，前記中間方向付勢ばね１８及び前記第１方向付勢ばね２１の伸縮範囲内において，前記光軸（ｘ軸）方向の位置，及び前記光軸（ｘ軸）と前記調節軸（ｚ軸）とに沿った方向の平面（ｘｚ平面）内での角度が変動し得るものである。
そこで，上述のような位置，角度の変化に対応しつつスムーズな前記ＣＣＤ取付部材１１ａの摺動を得るように，本実施形態に係る前記スキャナＡにおける前記ＣＣＤ８の位置調節機構は，以下に詳述するような構造のガイドを有する。
【００１９】
図６に示されるのは，前記位置調節機構の前記ＣＣＤ基盤１０側からの正面図である。図６に示されるように，前記ＣＣＤ取付部材１１ａの前記基準部材１２ａとの接触面には，前記調節軸（ｚ軸）に沿って長手に形成された調節軸方向長穴２７が形成されている。
また，前記基準部材１２ａの前記ＣＣＤ取付部材１１ａとの接触面には，突起部２８が設けられている。
前記突起部２８が前記調節軸方向長穴２７に嵌合する状態において，前記ＣＣＤ取付部材１１ａと前記基準部材１２ａとは面接触される。また，この状態では，前記調節軸方向長穴２７が前記突起物２８のガイドの役割を果たしており，前記ネジ部材１４の締め付け度合いを変化させると，前記ＣＣＤ取付部材１１ａは前記調節軸（ｚ軸）方向のみに摺動される（言い換えると，摺動方向が前記調節軸方向のみに規制される）。
尚，前記突起部２８が前記ＣＣＤ取付部材１１ａ側に形成されており，前記調節軸方向長穴２７が前記基準部材１２ａの側に形成されたものであっても，何ら不都合は生じない。
【実施例】
【００２０】
上述の実施形態では，画像読取装置の一例としてスキャナを例に挙げて本発明の説明を行なったが，これに限られるものではなく，複写機，ファクシミリ装置等におけるスキャナ部の光学センサの位置調節にも用いることが可能である。
また，上述の実施形態では，原稿からの反射光の光軸（ｘ軸）方向のうちＣＣＤ取付部材１１ａから前記基準部材１２ａとの接触面に向かう方向を第１方向とし，また，前記調節軸（ｚ軸）に沿った方向のうちの鉛直上向き方向を第２方向とし，それらの方向の中間方向に向けて，中間方向付勢ばね１８により前記ＣＣＤ取付部材１１ａを付勢する例に付いて開示したが，これに限られるものではない。
ＣＣＤ取付部材の変位を規制する規制部，及び前記基準部材との接触面を適宜の位置に配置することにより，図７（ａ），（ｂ）に示される矢印α，βの方向に前記ＣＣＤ取り付け部材を付勢する例なども考えられる。
例えば，図７（ａ）に示される矢印αの方向に前記ＣＣＤ取付部材を付勢する場合，前記ＣＣＤ取付部材が面接触される基準部材を，前記ＣＣＤ取付部材に対して前記原稿からの反射光の入射方向の下流側に配置する必要がある。
また，図７（ｂ）に示される矢印βの方向に前記ＣＣＤ取り付け部材を付勢する場合，前記基準部材を前記ＣＣＤ取付部材に対して前記原稿からの反射光の入射方向の下流側に配置し，かつ前記規制部を，前記ＣＣＤ取付部材の前記調節軸（ｚ軸）に沿った方向のうちの鉛直下方向への変位を規制する位置に配置する必要がある。
【００２１】
更に，上述の実施形態では，前記ＣＣＤ８を前記光軸（ｘ軸）及び前記調節軸（ｚ軸）に沿って位置調節する例に付いて開示したが，これに限られるものではなく，前記ＣＣＤ８を前記走査軸（ｙ軸）方向への位置調節を可能とする構成も考えられる。
突起部２８（図６参照）が嵌合される長穴を，前記走査軸（ｙ軸）方向に沿って長手に形成しておけば，図４に示される機構（中間方向付勢ばね１８，ネジ部材１４等）を，光軸（ｘ軸）に対して９０°回転させて向きに構成しておくことにより，上述の実施形態と同様の操作で前記ＣＣＤ８を前記走査軸（ｙ軸）に沿っての位置調節が可能となる。
【図面の簡単な説明】
【００２２】
【図１】本発明の実施の形態に係るスキャナの概略構成図。
【図２】従来例におけるスキャナが有するＣＣＤの位置調節機構の側面図。
【図３】従来例におけるスキャナが有するＣＣＤの位置調節機構の鉛直上方向からの正面図。
【図４】本発明の実施の形態に係るスキャナが有するＣＣＤの位置調節機構の側面図。
【図５】本発明の実施の形態にかかるスキャナが有するＣＣＤの位置調節機構の鉛直方向からの側面図。
【図６】本発明の実施の形態に係るスキャナが有するＣＣＤの位置調節機構の前記ＣＣＤの基盤方向からの正面図。
【図７】本発明の実施例に係るスキャナが有する中間方向付勢ばねによる付勢方向の例を示すシンボル図。
【符号の説明】
【００２３】
Ａ…本発明の実施形態に係るスキャナ
Ｂ…従来例におけるスキャナ
１…原稿セット部
２…搬送ローラ
３…原稿読取台
４…原稿排出部
５…露光装置
６…導光ミラー
７…結像レンズ
８…ＣＣＤ
９…画像処理制御装置
１０…ＣＣＤ基盤
１１…ＣＣＤ取付部材
１２…基準部材
１３…板ばね
１４…ネジ部材
１５…カギ部
１６…バネ引っ掛け孔
１７…コイルばね
１８…中間方向付勢ばね
１９…取付部材ばね掛け部
２０…基準部材ばね掛け部
２１…第１方向付勢ばね
２２…取付部材中央引っ掛け部
２３…基準部材中央引っ掛け部
２４…レンズ取付板
２５…基準部材位置決めネジ
２６…第一方向長穴
２７…調節軸方向長穴
２８…突起部
【図１】
2006157460.tif 000003
【図２】
2006157460.tif 000004
【図３】
2006157460.tif 000005
【図４】
2006157460.tif 000006
【図５】
2006157460.tif 000007
【図６】
2006157460.tif 000008
【図７】
2006157460.tif 000009